(57)【要約】隙間を有して平行配置された複数の帯状反射面１３、１４をそれぞれ備えた第１、第２の光制御パネル１１、１２を、第１、第２の光制御パネル１１、１２の帯状反射面１３、１４が交差する状態で、当接又は平行に近接して配置した倍率変更型光学結像装置１０において、第１、第２の光制御パネル１１、１２のそれぞれの帯状反射面１３、１４が、第１、第２の光制御パネル１１、１２の厚み方向に平行な面に対して傾斜して配置されている。これによって、被写体の画像（表示器に表示される画像も含む）を拡大又は縮小して実像を結像可能な倍率変更型光学結像装置１０を提供できる。
2014024677.tif 000002
【特許請求の範囲】
【請求項１】
隙間を有して平行配置された複数の帯状反射面をそれぞれ備えた第１、第２の光制御パネルを、該第１、第２の光制御パネルの前記帯状反射面が交差する状態で、当接又は平行に近接して配置した倍率変更型光学結像装置において、
前記第１、第２の光制御パネルのそれぞれの前記帯状反射面が、前記第１、第２の光制御パネルの厚み方向に平行な面に対して傾斜して配置されていることを特徴とする倍率変更型光学結像装置。
【請求項２】
請求項１記載の倍率変更型光学結像装置において、前記第１、第２の光制御パネルのそれぞれの厚み方向に平行な面に対する前記帯状反射面の傾斜角度は同一であることを特徴とする倍率変更型光学結像装置。
【請求項３】
請求項１又は２記載の倍率変更型光学結像装置において、前記第１、第２の光制御パネルはそれぞれ、鏡面が片側又は両側に形成された透明帯板材を積層して形成され、積層された前記透明帯板材に形成された前記鏡面が前記帯状反射面を形成していることを特徴とする倍率変更型光学結像装置。
【請求項４】
請求項１又は２記載の倍率変更型光学結像装置において、前記第１、第２の光制御パネルの前記帯状反射面は、被写体側を基準面にして９０度未満の範囲で傾斜し、前記被写体の画像を縮小して表示していることを特徴とする倍率変更型光学結像装置。
【請求項５】
請求項１又は２記載の倍率変更型光学結像装置において、前記第１、第２の光制御パネルの前記帯状反射面は、被写体側を基準面にして９０度を超える範囲で傾斜し、前記被写体の画像を拡大して表示していることを特徴とする倍率変更型光学結像装置。
【請求項６】
隙間を有して平行に同一角度で傾斜配置された複数の帯状反射面をそれぞれ備えた第１、第２の光制御パネルを、該第１、第２の光制御パネルの前記帯状反射面が交差する状態で、当接又は平行に近接して配置した倍率変更型光学結像装置の製造方法であって、
片面又は両面が鏡面処理された透明板材を積層して積層体を造る第１工程と、
前記積層体を積層面に対して斜めに所定厚みで切断して前記第１、第２の光制御パネルを造る第２工程と、
前記第１、第２の光制御パネルを、前記鏡面処理によって形成された前記帯状反射面が交差するようにして透明部材を介して又は直接貼り合わせる第３工程とを有することを特徴とする倍率変更型光学結像装置の製造方法。
【発明の詳細な説明】
【技術分野】
【０００１】
本発明は、被写体（ディスプレイ画像も含む）を縮小又は拡大して表示できる倍率変更型光学結像装置及びその製造方法に関する。
【背景技術】
【０００２】
特許文献１には、被写体の画像を空間内に三次元的に結像可能な光学結像装置７０が提案されている。図７に示すように、この光学結像装置７０は、透明平板７１、７２の内部に、透明平板７１、７２の当接面７３に垂直に多数かつ帯状の平面光反射部７５、７６を一定のピッチで並べて形成した第１及び第２の光制御パネル７７、７８を、第１及び第２の光制御パネル７７、７８に立設配置されたそれぞれの平面光反射部７５、７６を平面視して直交させて、向かい合わせて構成されている。【０００３】
そして、光学結像装置７０においては、第１の光制御パネル７７の平面光反射部７５に物体Ｍからの光を入射させ、平面光反射部７５で反射した反射光を第２の光制御パネル７８の平面光反射部７６で再度反射させ、物体Ｍの像Ｍ’を光学結像装置７０の反対側に結像させていた。
【先行技術文献】
【特許文献】
【０００４】
【特許文献１】再表２００９／１３１１２８号公報
【発明の概要】
【発明が解決しようとする課題】
【０００５】
特許文献１記載の技術においては、物体Ｍとその像Ｍ’は、当接面７３を中心にして左右対称に形成されるので、大きな（又は小さな）像Ｍ’を必要とする場合には、物体Ｍも大きな（小さな）ものを必要としていた。【０００６】
本発明は、かかる事情に鑑みてなされたもので、被写体（表示器に表示される画像も含む）の像を拡大又は縮小して実像を結像可能な倍率変更型光学結像装置及びその製造方法を提供することを目的とする。
【課題を解決するための手段】
【０００７】
前記目的に沿う第１の発明に係る倍率変更型光学結像装置は、隙間を有して平行配置された複数の帯状反射面をそれぞれ備えた第１、第２の光制御パネルを、該第１、第２の光制御パネルの前記帯状反射面が（平面視して）交差する状態で、当接又は平行に近接して配置した倍率変更型光学結像装置において、
前記第１、第２の光制御パネルのそれぞれの前記帯状反射面が、前記第１、第２の光制御パネルの厚み方向に平行な面に対して傾斜して配置されている。【０００８】
第１の発明に係る倍率変更型光学結像装置において、前記第１、第２の光制御パネルのそれぞれの厚み方向に平行な面に対する前記帯状反射面の傾斜角度は同一であるのが好ましい。これによって、縦横（ＸＹ方向）に同一比率で拡大又は縮小された実像を得ることができる。【０００９】
第１の発明に係る倍率変更型光学結像装置において、前記第１、第２の光制御パネルはそれぞれ、鏡面が片側又は両側に形成された透明帯板材を積層して形成され、積層された前記透明帯板材に形成された前記鏡面が前記帯状反射面を形成することもできる。【００１０】
第１の発明に係る倍率変更型光学結像装置において、前記第１、第２の光制御パネルの前記帯状反射面は、被写体側を基準面にして９０度未満の範囲で傾斜し、前記被写体の画像を縮小して表示することができるし、また、前記第１、第２の光制御パネルの前記帯状反射面は、被写体側を基準面にして９０度を超える範囲で傾斜し、前記被写体の画像を拡大して表示することもできる。【００１１】
前記目的に沿う第２の発明に係る倍率変更型光学結像装置の製造方法は、隙間を有して平行に同一角度で傾斜配置された複数の帯状反射面をそれぞれ備えた第１、第２の光制御パネルを、該第１、第２の光制御パネルの前記帯状反射面が交差する状態で、当接又は平行に近接して配置した倍率変更型光学結像装置の製造方法であって、
片面又は両面が鏡面処理された透明板材を積層して積層体を造る第１工程と、
前記積層体を積層面に対して斜めに所定厚みで切断して前記第１、第２の光制御パネルを造る第２工程と、
前記第１、第２の光制御パネルを、前記鏡面処理によって形成された前記帯状反射面が交差するようにして透明部材を介して又は直接貼り合わせる第３工程とを有する。【００１２】
なお、以上の発明の第１、第２の光制御パネルにおいて、所定間隔で帯状反射面がガラス又はプラスチック等の透明体（例えば、透明板材）に埋め込まれてもよい。この場合は、隣り合う帯状反射面の隙間は透明体で充填されていることになるが、隣り合う帯状反射面を単に隙間を有して立設する場合、隣り合う帯状反射面を楔状の溝壁に形成したものであってもよい。
また、帯状反射面が交差する状態とは、平面視して第１の光制御パネルと第２の光制御パネルの帯状反射面が（±１度以内の誤差で）直交する状態が好ましいが、必ずしもこれらが直交しなくてもよい。
【発明の効果】
【００１３】
第１の発明に係る倍率変更型光学結像装置、第２発明に係る製造方法によって製造された倍率変更型光学結像装置は、隙間を有して平行に同一角度で傾斜配置された複数の帯状反射面をそれぞれ備えた第１、第２の光制御パネルを、第１、第２の光制御パネルの帯状反射面が交差する状態で、当接又は平行に近接して配置しているので、被写体の画像が拡大又は縮小される。
被写体が拡大して表示される場合には、表示される像について装置全体を小型化できる。また、被写体が縮小して表示される場合は、より緻密で鮮明な像を得ることができる。【００１４】
特に、第２の発明に係る倍率変更型光学結像装置の製造方法においては、積層体の製造が極めて容易で、隣り合う帯状反射面（即ち、鏡面）の距離を容易に制御できる。
更には、積層体を斜めに切断することによって、容易に帯状反射面の角度を制御できる。なお、以上の発明において、被写体の画像はディスプレイ等の平面画像の他、立体的であってもよい。
【図面の簡単な説明】
【００１５】
【図１】（Ａ）、（Ｂ）、（Ｃ）は本発明の第１の実施例に係る倍率変更型光学結像装置の要部を示す平面図、正断面図、側断面図である。
【図２】同倍率変更型光学結像装置の説明図である。
【図３】（Ａ）は本発明の第２の実施例に係る倍率変更型光学結像装置の要部を示す正断面図、（Ｂ）は同側断面図である。
【図４】（Ａ）は本発明の第３の実施例に係る倍率変更型光学結像装置の要部を示す正断面図、（Ｂ）は同側断面図である。
【図５】（Ａ）は本発明の第４の実施例に係る倍率変更型光学結像装置の要部を示す正断面図、（Ｂ）は同側断面図である。
【図６】（Ａ）は本発明の第５の実施例に係る倍率変更型光学結像装置の要部を示す正断面図、（Ｂ）は同側断面図である。
【図７】従来例に係る光学結像装置の説明図である。
【発明を実施するための形態】
【００１６】
続いて、添付した図面を参照しながら、本発明の実施例に係る倍率変更型光学結像装置及びその製造方法について説明する。
図１（Ａ）、（Ｂ）、（Ｃ）に示すように、本発明の第１の実施例に係る倍率変更型光学結像装置１０は、当接して配置された第１、第２の光制御パネル１１、１２を有している。第１、第２の制御パネル１１、１２はそれぞれ所定間隔で平行配置された複数の帯状反射面１３、１４を有している。
【００１７】
この帯状反射面１３、１４は、第１、第２の光制御パネル１１、１２の厚み方向に直交する面、例えば、第１、第２の光制御パネル１１、１２の接合面１６に対して一定方向に傾斜して配置されている。ここで、帯状反射面１３、１４の接合面１６に対する傾斜角度βは同一で９０度未満で３０度以上（好ましくは、５５〜８９度、更に好ましくは７５〜８８度、以下の実施例においても同じ）が好ましいが、場合によっては、３０度未満でもよい。なお、第１、第２の光制御パネル１１、１２の厚み方向に平行な面は、接合面１６に対して直交しているので、帯状反射面１３、１４の厚み方向に平行な面に対する傾斜角度αは、９０度−βとなる。
第１、第２の光制御パネル１１、１２の各帯状反射面１３、１４は、図１（Ａ）に示すように、平面視して直交状態で交差している。
【００１８】
この実施例においては、各帯状反射面１３、１４は片面のみに反射面が形成されているが、両面であってもよい。
例えば、図２に示すように、透明なガスラ又はプラスチックからなる透明板材１８の両面に金属の蒸着処理法によって、鏡面１９、２０を形成する。このように両面に鏡面１９、２０が形成された透明板材１８を例えば、接着剤を介して多数枚積層し積層体２２を形成する。積層体２２を積層面２３に対して角度βの傾斜角度でかつ一定厚み（ｔ）で切断する。これによって、それぞれ鏡面１９、２０が両側に形成された複数枚の透明帯板材が積層されて光制御パネルＤが形成される。
【００１９】
ここで、透明板材１８の両面に鏡面１９、２０を形成すると、鏡面１９、２０が形成された透明板材１８を積層する場合、接着剤の色を考慮する必要がないし、透明板材１８の両方の面を使用することができ、透明板材１８の平滑面をそのまま帯状反射面１３、１４とすることができる。なお、透明板材の片面のみを鏡面として、透明板材を積層することもできるが、この場合は、帯状反射面は透明板材の鏡面が接合された面を使用することができる。
【００２０】
図２に示すようにして形成された光制御パネルＤを光制御パネル１１、１２として、各光制御パネル１１、１２を、帯状反射面１３、１４が交差するようにして、向き合わせて当接する。この場合は透明な接着剤（透明部材）を用いて接合するのが好ましいが、隙間を有して、平行に近接又は単に当接させた（直接貼り合わせた）のみでもよい。
なお、帯状反射面１３、１４の傾斜の方向は、被写体の軸心を中央にして共に内側又は共に外側にする。帯状反射面１３、１４の傾斜の方向を、被写体の軸心を中央にして共に内側にした場合（即ち、被写体側を基準面にして９０度未満の範囲で共に同一向きで傾斜した場合）は被写体の像が縮小され、帯状反射面１３、１４の傾斜の方向を、被写体の軸心を中央にして共に外側にした場合（即ち、被写体側を基準面にして９０度を超える範囲で共に同一向きで傾斜した場合）は被写体の像が拡大される。
【００２１】
この様子を、図３（Ａ）、（Ｂ）に示す本発明の第２の実施例に係る倍率変更型光学結像装置２４を参照しながら説明する。２５、２６を従来の光制御パネルに使用される光制御パネルの表面に対して垂直な帯状反射面とすると、被写体の一点Ｐから放射された光は、対向配置された帯状反射面２５、２６のＰ１〜Ｐ３で複数回反射して、Ｐ’の位置に結像する。
【００２２】
一方、垂直に立設された帯状反射面２５、２６を図３に示すように、被写体の軸心ｍを中心にして内側に角度α度傾斜させて、帯状反射面２７、２８とすると、被写体の一点Ｐから放出された光は、帯状反射面２７、２８のＱ１〜Ｑ５で角度２α度加算されて反射し、Ｑ’の位置に結像する。従って、Ｑ’はＰ’よりより倍率変更型光学結像装置２４に近い側にあるので、結局は全体として形成される像が被写体より小さくなる。
【００２３】
図４の（Ａ）、（Ｂ）には、本発明の第３の実施例に係る倍率変更型光学結像装置３０を示すが、帯状反射面３１、３２が、被写体Ｓの軸心ｍに対して、即ち光の進行方向（結像方向）に対して外側に開くように形成されている。これによって、倍率変更型光学結像装置３０によって形成される像Ｓ’が倍率変更型光学結像装置３０からより遠くに形成され、これによって像の拡大が可能となる。
【００２４】
図５（Ａ）、（Ｂ）に本発明の第４の実施例に係る倍率変更型光学結像装置３４を示しているが、この倍率変更型光学結像装置３４には、透明プラスチック又はガラスからなる透明板材３５、３６を使用し、それぞれの一面に断面三角形の溝３７、３８を隙間を有して並列に形成している。そして、溝３７、３８の片面（両面であってもよい）に鏡面処理をして帯状反射面４１、４２を形成し、第１、第２の光制御パネル４３、４４としている。この第１、第２の光制御パネル４３、４４を帯状反射面４１、４２が平面視して交差するようにして、当接又は平行に近接配置している。
【００２５】
この場合の動作は、前記した倍率変更型光学結像装置２４と同一で、帯状反射面４１、４２が被写体の軸線（中心を通る垂線）に対して、内側に傾いているので、この倍率変更型光学結像装置３４は被写体の画像を縮小して像を形成する。なお、帯状反射面４１、４２が透明板材３５、３６の当接面（接合面）に対して垂直な場合は、ＷＯ２００９／１３１１２８号公報（特許文献１）の図３に記載する光学結像装置と同一である。
【００２６】
図６（Ａ）、（Ｂ）には、本発明の第５の実施例に係る倍率変更型光学結像装置４７を示すが、第４の実施例に係る倍率変更型光学結像装置３４の帯状反射面４１、４２の角度を被写体の軸心に対して外側に開いたもの（帯状反射面４８、４９とする）で、他の構成は同一である。この場合、透明板材５０、５１に形成する溝５２、５３の断面形状がプレス成形容易な形状となる。溝５２、５３の片面又は両面には鏡面処理が施され、帯状反射面４８、４９を形成している。５６、５７はそれぞれ第１、第２の光制御パネルを示す。
この倍率変更型光学結像装置４７の動作は、倍率変更型光学結像装置３４の動作と逆になり、被写体の画像を拡大して表示する。
【００２７】
本発明は前記した実施例のみに限定されず、本発明の要旨を変更しない範囲で設計変更等は可能である。
また、前記実施例においては、被写体は実物であったが、ディスプレイ（表示器）に形成される画像（平面、立体を含む）であってもよい。
【産業上の利用可能性】
【００２８】
本発明に係る倍率変更型光学結像装置は、被写体の画像が拡大又は縮小して形成されるので、大きな被写体を縮小して見ることができ、更に小さな被写体を拡大して見ることもできる。特に、携帯電話の画像処理などに適用した場合は、被写体の拡大又は縮小した画像を飛び出させて表示することができるので、携帯電話などの利便性が更に向上する。
なお、形成される画像に歪が生じる場合は、矯正して表示することもできる。
【符号の説明】
【００２９】
１０：倍率変更型光学結像装置、１１：第１の光制御パネル、１２：第２の光制御パネル、１３、１４：帯状反射面、１６：接合面、１８：透明板材、１９、２０：鏡面、２２：積層体、２３：積層面、２４：倍率変更型光学結像装置、２５、２６：帯状反射面、２７、２８：帯状反射面、３０：倍率変更型光学結像装置、３１、３２：帯状反射面、３４：倍率変更型光学結像装置、３５、３６：透明板材、３７、３８：溝、４１、４２：帯状反射面、４３：第１の光制御パネル、４４：第２の光制御パネル、４７：倍率変更型光学結像装置、４８、４９：帯状反射面、５０、５１：透明板材、５２、５３：溝、５６：第１の光制御パネル、５７：第２の光制御パネル
【図１】
2014024677.tif 000003
【図２】
2014024677.tif 000004
【図３】
2014024677.tif 000005
【図４】
2014024677.tif 000006
【図５】
2014024677.tif 000007
【図６】
2014024677.tif 000008
【図７】
2014024677.tif 000009
【手続補正書】
【提出日】平成25年12月17日(2013.12.17)
【手続補正１】
【補正対象書類名】特許請求の範囲
【補正対象項目名】全文
【補正方法】変更
【補正の内容】
【特許請求の範囲】
【請求項１】
隙間を有して平行配置された複数の帯状反射面をそれぞれ備えた第１、第２の光制御パネルを、該第１、第２の光制御パネルの前記帯状反射面が交差する状態で、当接又は平行に近接して配置した倍率変更型光学結像装置において、
前記第１、第２の光制御パネルのそれぞれの前記帯状反射面が、前記第１、第２の光制御パネルの厚み方向に平行な面に対して同一の傾斜角度で傾斜して配置され、被写体の画像を縮小又は拡大して表示することを特徴とする倍率変更型光学結像装置。
【請求項２】
請求項１記載の倍率変更型光学結像装置において、前記第１、第２の光制御パネルの帯状反射面が平面視して直交していることを特徴とする倍率変更型光学結像装置。
【請求項３】
請求項１又は２記載の倍率変更型光学結像装置において、前記第１、第２の光制御パネルはそれぞれ、鏡面が片側又は両側に形成された透明帯板材を積層して形成され、積層された前記透明帯板材に形成された前記鏡面が前記帯状反射面を形成していることを特徴とする倍率変更型光学結像装置。
【請求項４】
請求項１又は２記載の倍率変更型光学結像装置において、前記第１、第２の光制御パネルの前記帯状反射面は、被写体側を基準面にして９０度未満の範囲で傾斜し、前記被写体の画像を縮小して表示していることを特徴とする倍率変更型光学結像装置。
【請求項５】
請求項１又は２記載の倍率変更型光学結像装置において、前記第１、第２の光制御パネルの前記帯状反射面は、被写体側を基準面にして９０度を超える範囲で傾斜し、前記被写体の画像を拡大して表示していることを特徴とする倍率変更型光学結像装置。
【請求項６】
隙間を有して平行に同一角度で傾斜配置された複数の帯状反射面をそれぞれ備えた第１、第２の光制御パネルを、該第１、第２の光制御パネルの前記帯状反射面が交差する状態で、当接又は平行に近接して配置した倍率変更型光学結像装置の製造方法であって、
片面又は両面が鏡面処理された透明板材を積層して積層体を造る第１工程と、
前記積層体を積層面に対して斜めに所定厚みで切断して前記第１、第２の光制御パネルを造る第２工程と、
前記第１、第２の光制御パネルを、前記鏡面処理によって形成された前記帯状反射面が交差するようにして透明部材を介して又は直接貼り合わせる第３工程とを有することを特徴とする倍率変更型光学結像装置の製造方法。
【手続補正２】
【補正対象書類名】明細書
【補正対象項目名】全文
【補正方法】変更
【補正の内容】
【発明の詳細な説明】
【技術分野】
【０００１】
本発明は、被写体（ディスプレイ画像も含む）を縮小又は拡大して表示できる倍率変更型光学結像装置及びその製造方法に関する。
【背景技術】
【０００２】
特許文献１には、被写体の画像を空間内に三次元的に結像可能な光学結像装置７０が提案されている。図７に示すように、この光学結像装置７０は、透明平板７１、７２の内部に、透明平板７１、７２の当接面７３に垂直に多数かつ帯状の平面光反射部７５、７６を一定のピッチで並べて形成した第１及び第２の光制御パネル７７、７８を、第１及び第２の光制御パネル７７、７８に立設配置されたそれぞれの平面光反射部７５、７６を平面視して直交させて、向かい合わせて構成されている。
【０００３】
そして、光学結像装置７０においては、第１の光制御パネル７７の平面光反射部７５に物体Ｍからの光を入射させ、平面光反射部７５で反射した反射光を第２の光制御パネル７８の平面光反射部７６で再度反射させ、物体Ｍの像Ｍ’を光学結像装置７０の反対側に結像させていた。
【先行技術文献】
【特許文献】
【０００４】
【特許文献１】再表２００９／１３１１２８号公報
【発明の概要】
【発明が解決しようとする課題】
【０００５】
特許文献１記載の技術においては、物体Ｍとその像Ｍ’は、当接面７３を中心にして左右対称に形成されるので、大きな（又は小さな）像Ｍ’を必要とする場合には、物体Ｍも大きな（小さな）ものを必要としていた。
【０００６】
本発明は、かかる事情に鑑みてなされたもので、被写体（表示器に表示される画像も含む）の像を拡大又は縮小して実像を結像可能な倍率変更型光学結像装置及びその製造方法を提供することを目的とする。
【課題を解決するための手段】
【０００７】
前記目的に沿う第１の発明に係る倍率変更型光学結像装置は、隙間を有して平行配置された複数の帯状反射面をそれぞれ備えた第１、第２の光制御パネルを、該第１、第２の光制御パネルの前記帯状反射面が（平面視して）交差する状態で、当接又は平行に近接して配置した倍率変更型光学結像装置において、
前記第１、第２の光制御パネルのそれぞれの前記帯状反射面が、前記第１、第２の光制御パネルの厚み方向に平行な面に対して傾斜して配置されている。
【０００８】
第１の発明に係る倍率変更型光学結像装置は、前記第１、第２の光制御パネルのそれぞれの厚み方向に平行な面に対する前記帯状反射面の傾斜角度は同一である。これによって、縦横（ＸＹ方向）に同一比率で拡大又は縮小された実像を得ることができる。
【０００９】
第１の発明に係る倍率変更型光学結像装置において、前記第１、第２の光制御パネルはそれぞれ、鏡面が片側又は両側に形成された透明帯板材を積層して形成され、積層された前記透明帯板材に形成された前記鏡面が前記帯状反射面を形成することもできる。
【００１０】
第１の発明に係る倍率変更型光学結像装置において、前記第１、第２の光制御パネルの前記帯状反射面は、被写体側を基準面にして９０度未満の範囲で傾斜し、前記被写体の画像を縮小して表示することができるし、また、前記第１、第２の光制御パネルの前記帯状反射面は、被写体側を基準面にして９０度を超える範囲で傾斜し、前記被写体の画像を拡大して表示することもできる。
【００１１】
前記目的に沿う第２の発明に係る倍率変更型光学結像装置の製造方法は、隙間を有して平行に同一角度で傾斜配置された複数の帯状反射面をそれぞれ備えた第１、第２の光制御パネルを、該第１、第２の光制御パネルの前記帯状反射面が交差する状態で、当接又は平行に近接して配置した倍率変更型光学結像装置の製造方法であって、
片面又は両面が鏡面処理された透明板材を積層して積層体を造る第１工程と、
前記積層体を積層面に対して斜めに所定厚みで切断して前記第１、第２の光制御パネルを造る第２工程と、
前記第１、第２の光制御パネルを、前記鏡面処理によって形成された前記帯状反射面が交差するようにして透明部材を介して又は直接貼り合わせる第３工程とを有する。
【００１２】
なお、以上の発明の第１、第２の光制御パネルにおいて、所定間隔で帯状反射面がガラス又はプラスチック等の透明体（例えば、透明板材）に埋め込まれてもよい。この場合は、隣り合う帯状反射面の隙間は透明体で充填されていることになるが、隣り合う帯状反射面を単に隙間を有して立設する場合、隣り合う帯状反射面を楔状の溝壁に形成したものであってもよい。
また、帯状反射面が交差する状態とは、平面視して第１の光制御パネルと第２の光制御パネルの帯状反射面が（±１度以内の誤差で）直交する状態が好ましいが、必ずしもこれらが直交しなくてもよい。
【発明の効果】
【００１３】
第１の発明に係る倍率変更型光学結像装置、第２発明に係る製造方法によって製造された倍率変更型光学結像装置は、隙間を有して平行に同一角度で傾斜配置された複数の帯状反射面をそれぞれ備えた第１、第２の光制御パネルを、第１、第２の光制御パネルの帯状反射面が交差する状態で、当接又は平行に近接して配置しているので、被写体の画像が拡大又は縮小される。
被写体が拡大して表示される場合には、表示される像について装置全体を小型化できる。また、被写体が縮小して表示される場合は、より緻密で鮮明な像を得ることができる。
【００１４】
特に、第２の発明に係る倍率変更型光学結像装置の製造方法においては、積層体の製造が極めて容易で、隣り合う帯状反射面（即ち、鏡面）の距離を容易に制御できる。
更には、積層体を斜めに切断することによって、容易に帯状反射面の角度を制御できる。なお、以上の発明において、被写体の画像はディスプレイ等の平面画像の他、立体的であってもよい。
【図面の簡単な説明】
【００１５】
【図１】（Ａ）、（Ｂ）、（Ｃ）は本発明の第１の実施例に係る倍率変更型光学結像装置の要部を示す平面図、正断面図、側断面図である。
【図２】同倍率変更型光学結像装置の説明図である。
【図３】（Ａ）は本発明の第２の実施例に係る倍率変更型光学結像装置の要部を示す正断面図、（Ｂ）は同側断面図である。
【図４】（Ａ）は本発明の第３の実施例に係る倍率変更型光学結像装置の要部を示す正断面図、（Ｂ）は同側断面図である。
【図５】（Ａ）は本発明の第４の実施例に係る倍率変更型光学結像装置の要部を示す正断面図、（Ｂ）は同側断面図である。
【図６】（Ａ）は本発明の第５の実施例に係る倍率変更型光学結像装置の要部を示す正断面図、（Ｂ）は同側断面図である。
【図７】従来例に係る光学結像装置の説明図である。
【発明を実施するための形態】
【００１６】
続いて、添付した図面を参照しながら、本発明の実施例に係る倍率変更型光学結像装置及びその製造方法について説明する。
図１（Ａ）、（Ｂ）、（Ｃ）に示すように、本発明の第１の実施例に係る倍率変更型光学結像装置１０は、当接して配置された第１、第２の光制御パネル１１、１２を有している。第１、第２の制御パネル１１、１２はそれぞれ所定間隔で平行配置された複数の帯状反射面１３、１４を有している。
【００１７】
この帯状反射面１３、１４は、第１、第２の光制御パネル１１、１２の厚み方向に直交する面、例えば、第１、第２の光制御パネル１１、１２の接合面１６に対して一定方向に傾斜して配置されている。ここで、帯状反射面１３、１４の接合面１６に対する傾斜角度βは同一で９０度未満で３０度以上（好ましくは、５５〜８９度、更に好ましくは７５〜８８度、以下の実施例においても同じ）が好ましいが、場合によっては、３０度未満でもよい。なお、第１、第２の光制御パネル１１、１２の厚み方向に平行な面は、接合面１６に対して直交しているので、帯状反射面１３、１４の厚み方向に平行な面に対する傾斜角度αは、９０度−βとなる。
第１、第２の光制御パネル１１、１２の各帯状反射面１３、１４は、図１（Ａ）に示すように、平面視して直交状態で交差している。
【００１８】
この実施例においては、各帯状反射面１３、１４は片面のみに反射面が形成されているが、両面であってもよい。
例えば、図２に示すように、透明なガスラ又はプラスチックからなる透明板材１８の両面に金属の蒸着処理法によって、鏡面１９、２０を形成する。このように両面に鏡面１９、２０が形成された透明板材１８を例えば、接着剤を介して多数枚積層し積層体２２を形成する。積層体２２を積層面２３に対して角度βの傾斜角度でかつ一定厚み（ｔ）で切断する。これによって、それぞれ鏡面１９、２０が両側に形成された複数枚の透明帯板材が積層されて光制御パネルＤが形成される。
【００１９】
ここで、透明板材１８の両面に鏡面１９、２０を形成すると、鏡面１９、２０が形成された透明板材１８を積層する場合、接着剤の色を考慮する必要がないし、透明板材１８の両方の面を使用することができ、透明板材１８の平滑面をそのまま帯状反射面１３、１４とすることができる。なお、透明板材の片面のみを鏡面として、透明板材を積層することもできるが、この場合は、帯状反射面は透明板材の鏡面が接合された面を使用することができる。
【００２０】
図２に示すようにして形成された光制御パネルＤを光制御パネル１１、１２として、各光制御パネル１１、１２を、帯状反射面１３、１４が交差するようにして、向き合わせて当接する。この場合は透明な接着剤（透明部材）を用いて接合するのが好ましいが、隙間を有して、平行に近接又は単に当接させた（直接貼り合わせた）のみでもよい。
なお、帯状反射面１３、１４の傾斜の方向は、被写体の軸心を中央にして共に内側又は共に外側にする。帯状反射面１３、１４の傾斜の方向を、被写体の軸心を中央にして共に内側にした場合（即ち、被写体側を基準面にして９０度未満の範囲で共に同一向きで傾斜した場合）は被写体の像が縮小され、帯状反射面１３、１４の傾斜の方向を、被写体の軸心を中央にして共に外側にした場合（即ち、被写体側を基準面にして９０度を超える範囲で共に同一向きで傾斜した場合）は被写体の像が拡大される。
【００２１】
この様子を、図３（Ａ）、（Ｂ）に示す本発明の第２の実施例に係る倍率変更型光学結像装置２４を参照しながら説明する。２５、２６を従来の光制御パネルに使用される光制御パネルの表面に対して垂直な帯状反射面とすると、被写体の一点Ｐから放射された光は、対向配置された帯状反射面２５、２６のＰ１〜Ｐ３で複数回反射して、Ｐ’の位置に結像する。
【００２２】
一方、垂直に立設された帯状反射面２５、２６を図３に示すように、被写体の軸心ｍを中心にして内側に角度α度傾斜させて、帯状反射面２７、２８とすると、被写体の一点Ｐから放出された光は、帯状反射面２７、２８のＱ１〜Ｑ５で角度２α度加算されて反射し、Ｑ’の位置に結像する。従って、Ｑ’はＰ’よりより倍率変更型光学結像装置２４に近い側にあるので、結局は全体として形成される像が被写体より小さくなる。
【００２３】
図４の（Ａ）、（Ｂ）には、本発明の第３の実施例に係る倍率変更型光学結像装置３０を示すが、帯状反射面３１、３２が、被写体Ｓの軸心ｍに対して、即ち光の進行方向（結像方向）に対して外側に開くように形成されている。これによって、倍率変更型光学結像装置３０によって形成される像Ｓ’が倍率変更型光学結像装置３０からより遠くに形成され、これによって像の拡大が可能となる。
【００２４】
図５（Ａ）、（Ｂ）に本発明の第４の実施例に係る倍率変更型光学結像装置３４を示しているが、この倍率変更型光学結像装置３４には、透明プラスチック又はガラスからなる透明板材３５、３６を使用し、それぞれの一面に断面三角形の溝３７、３８を隙間を有して並列に形成している。そして、溝３７、３８の片面（両面であってもよい）に鏡面処理をして帯状反射面４１、４２を形成し、第１、第２の光制御パネル４３、４４としている。この第１、第２の光制御パネル４３、４４を帯状反射面４１、４２が平面視して交差するようにして、当接又は平行に近接配置している。
【００２５】
この場合の動作は、前記した倍率変更型光学結像装置２４と同一で、帯状反射面４１、４２が被写体の軸線（中心を通る垂線）に対して、内側に傾いているので、この倍率変更型光学結像装置３４は被写体の画像を縮小して像を形成する。なお、帯状反射面４１、４２が透明板材３５、３６の当接面（接合面）に対して垂直な場合は、ＷＯ２００９／１３１１２８号公報（特許文献１）の図３に記載する光学結像装置と同一である。
【００２６】
図６（Ａ）、（Ｂ）には、本発明の第５の実施例に係る倍率変更型光学結像装置４７を示すが、第４の実施例に係る倍率変更型光学結像装置３４の帯状反射面４１、４２の角度を被写体の軸心に対して外側に開いたもの（帯状反射面４８、４９とする）で、他の構成は同一である。この場合、透明板材５０、５１に形成する溝５２、５３の断面形状がプレス成形容易な形状となる。溝５２、５３の片面又は両面には鏡面処理が施され、帯状反射面４８、４９を形成している。５６、５７はそれぞれ第１、第２の光制御パネルを示す。
この倍率変更型光学結像装置４７の動作は、倍率変更型光学結像装置３４の動作と逆になり、被写体の画像を拡大して表示する。
【００２７】
本発明は前記した実施例のみに限定されず、本発明の要旨を変更しない範囲で設計変更等は可能である。
また、前記実施例においては、被写体は実物であったが、ディスプレイ（表示器）に形成される画像（平面、立体を含む）であってもよい。
【産業上の利用可能性】
【００２８】
本発明に係る倍率変更型光学結像装置は、被写体の画像が拡大又は縮小して形成されるので、大きな被写体を縮小して見ることができ、更に小さな被写体を拡大して見ることもできる。特に、携帯電話の画像処理などに適用した場合は、被写体の拡大又は縮小した画像を飛び出させて表示することができるので、携帯電話などの利便性が更に向上する。
なお、形成される画像に歪が生じる場合は、矯正して表示することもできる。
【符号の説明】
【００２９】
１０：倍率変更型光学結像装置、１１：第１の光制御パネル、１２：第２の光制御パネル、１３、１４：帯状反射面、１６：接合面、１８：透明板材、１９、２０：鏡面、２２：積層体、２３：積層面、２４：倍率変更型光学結像装置、２５、２６：帯状反射面、２７、２８：帯状反射面、３０：倍率変更型光学結像装置、３１、３２：帯状反射面、３４：倍率変更型光学結像装置、３５、３６：透明板材、３７、３８：溝、４１、４２：帯状反射面、４３：第１の光制御パネル、４４：第２の光制御パネル、４７：倍率変更型光学結像装置、４８、４９：帯状反射面、５０、５１：透明板材、５２、５３：溝、５６：第１の光制御パネル、５７：第２の光制御パネル
【国際調査報告】
2014024677.tif 000010
2014024677.tif 000011
2014024677.tif 000012
2014024677.tif 000013